(57)【要約】      （修正有）【課題】室内に良い香りを付与することができると共に、調湿効果や断熱効果を高めることができ、更に自然環境にもやさしい、木造家屋の壁構造体及びそれを用いた木造家屋を提供する。【解決手段】壁構造体１０は、木造家屋の外壁の内側に設置されて、木造家屋の壁骨格を形成する、ヒノキからなる枠状体２０と、枠状体２０の間隙に充填された、羊毛からなる断熱層と、枠状体２０に端部を支持されて断熱層の室内側に取付けられた下地板４０と、下地板４０の室内側に塗られた、ワラ（特に、熟成させたワラ）を含有する土壁５０とを備えている。【選択図】図１
2019132063.tif 000002
【特許請求の範囲】
【請求項１】
木造家屋の外壁の内側に設置される木造家屋の壁構造体であって、
木造家屋の壁骨格を形成する、ヒノキからなる枠状体と、
前記枠状体の間隙に充填された、羊毛からなる断熱層と、
前記枠状体に端部を支持されて前記断熱層の室内側に取付けられた下地板と、
前記下地板の室内側に塗られた、ワラを含有する土壁とを備えていることを特徴とする木造家屋の壁構造体。
【請求項２】
前記下地板は、ヒノキ以外の木材で形成されている、請求項１記載の木造家屋の壁構造体。
【請求項３】
前記下地板は、前記枠状体の室内側の面よりも引き込んだ位置に配置されており、
前記土壁は、前記枠状体の室内側の面から突出しないように塗布されている請求項１又は２記載の木造家屋の壁構造体。
【請求項４】
前記土壁は、少なくとも、前記下地板に対して接着性を有し、同下地板の室内側の面に塗布される下塗り層と、該下塗り層の表面に塗布される中塗り層と、該中塗り層よりも目が細かく、その表面に塗布される上塗り層とからなる、多層構造となっている請求項１〜３のいずれか１項に記載の木造家屋の壁構造体。
【請求項５】
前記断熱層の外壁側に配置され、前記下地板との間で前記断熱層を挟み込むように、前記枠状体に取付けられた外板を、更に備えており、この外板の室外側にモルタルが塗られて前記外壁が形成されている請求項１記載の木造家屋の壁構造体。
【請求項６】
請求項１〜５のいずれか１項に記載された、木造家屋の壁構造体と、屋根とを備えた木造家屋であって、
前記屋根は、銅又は銅合金から形成されており、
前記木造家屋における、木製の建造材は、すべてヒノキからなることを特徴とする木造家屋。
【発明の詳細な説明】
【技術分野】
【０００１】
本発明は、土壁を用いた土地家屋の壁構造体、及び、それを用いた木造家屋に関する。
【背景技術】
【０００２】
古来、我が国の木造家屋においては、土壁が用いられている。この土壁は、優れた調湿性や、耐火性等を有することが知られている。
【０００３】
例えば、下記特許文献１には、複数の木製柱を土台に固定し、その間に木製の組付体を落とし込んで板壁面を形成した後に、この板壁面の上面へ水平に、胴差、桁、梁等の水平材を固定し、板壁面の屋外側に土材を担持して、土壁を形成した木造土壁が記載されている。
【先行技術文献】
【特許文献】
【０００４】
【特許文献１】特許第４３８８５７４号公報
【発明の概要】
【発明が解決しようとする課題】
【０００５】
ところで、一般的に土壁は、粘土や砂に、つなぎとして、麻や、ワラ、紙等の繊維質材料を含有してなるものであるが、材料等によっては、匂いが気になることがあった。また、土壁は調湿性を有し蓄熱性も有するが、断熱性はそれほど高いわけではないため、外気温により室内の温度が左右され、特に厳冬期には寒くなりやすい傾向があった。更に現在は、建築物を建てる際や、廃棄の際に、自然環境を考慮する必要性がある。
【０００６】
したがって、本発明の目的は、室内に良い香りを付与することができると共に、調湿効果や断熱効果を高めることができ、更に自然環境にもやさしい、木造家屋の壁構造体及びそれを用いた木造家屋を提供することにある。
【課題を解決するための手段】
【０００７】
上記目的を達成するため、本発明の一つは、木造家屋の外壁の内側に設置される木造家屋の壁構造体であって、木造家屋の壁骨格を形成する、ヒノキからなる枠状体と、前記枠状体の間隙に充填された、羊毛からなる断熱層と、前記枠状体に端部を支持されて前記断熱層の室内側に取付けられた下地板と、前記下地板の室内側に塗られた、ワラを含有する土壁とを備えていることを特徴とする。
【０００８】
上記発明によれば、木造家屋の壁骨格を形成する、枠状体がヒノキからなり、枠状体の隙間に充填された、断熱層が羊毛からなり、枠状体に取付けられた下地板の室内側に塗られた、ワラ（特に、熟成させたワラ）を含有する土壁からなるので、高い蓄熱性及び保水力により調温・調湿性能が高いワラを混ぜた土壁と、湿気を吸収しやすく調湿性能が高い羊毛からなる断熱層とによって、室内を適度な温度及び湿度に維持しつつ、枠状体を形成するヒノキから抽出される油によって、爽やかな木の香りが付与されて、まるで森林浴をしているようなリラックス効果とリフレッシュ効果を得ることができ、これらの相乗効果によって、体によく住み心地に優れた住環境を提供することができる。また、羊毛からなる断熱層と、ワラ（特に、熟成させたワラ）を含有する土壁とによって、室内の調湿効果を高めて、断熱効果を高めることができる。更に土壁はカビが発生しにくく、枠状体は防カビ性を有するヒノキからなり、羊毛による吸湿作用によってカビの発生を抑制するので、室内にカビが発生しにくく、体によい室内環境とすることができる。更にまた、土壁、枠状体、断熱層のいずれも自然界に存在する材料からなり、自然環境にやさしく、廃棄時にも悪影響を与えにくい。
【０００９】
本発明に係る木造家屋の壁構造体においては、前記下地板は、ヒノキ以外の木材で形成されていることが好ましい。ヒノキは油が抽出されることで、水分をはじくため、土壁を塗ることが困難で且つ剥がれやすいが、上記態様によれば、土壁で覆われてしまう下地板をヒノキ以外の木材で形成することにより、上記のような、ヒノキの油によって土壁が塗りにくいという不都合を回避して、下地板に土壁をしっかりと塗ることができ、また、塗った土壁が下地板から剥がれにくくすることができる。
【００１０】
本発明に係る木造家屋の壁構造体においては、前記下地板は、前記枠状体の室内側の面よりも引き込んだ位置に配置されており、前記土壁は、前記枠状体の室内側の面から突出しないように塗布されていることが好ましい。
【００１１】
上記態様によれば、下地板は枠状体の室内側の面よりも引き込んだ位置に配置されており、土壁は、枠状体の室内側の面から突出しないように塗布されているので、ヒノキからなる枠状体を、室内側に露出しやすくすることができ、ヒノキの香りを放散させやすくして、リラックス効果及びリフレッシュ効果を高めることができる。
【００１２】
本発明に係る木造家屋の壁構造体においては、前記土壁は、少なくとも、前記下地板に対して接着性を有し同下地板に塗布される下塗り層と、該下塗り層の表面に塗布される中塗り層と、該中塗り層よりも目が細かく、その表面に塗布される上塗り層とからなる、多層構造となっていることが好ましい。
【００１３】
上記態様によれば、土壁は、少なくとも、下地板に対して接着性を有し同下地板に塗布される下塗り層と、該下塗り層の表面に塗布される中塗り層と、該中塗り層よりも目が細かく、その表面に塗布される上塗り層とからなる、多層構造となっているので、下地板上に、下塗り層を介して、所定厚さの土壁を剥がれにくく、強固に塗布することができると共に、目の細かい上塗り層によって、土壁の表面をきれいに仕上げることができる。
【００１４】
本発明に係る木造家屋の壁構造体においては、前記断熱層の外壁側に配置され、前記下地板との間で前記断熱層を挟み込むように、前記枠状体に取付けられた外板を、更に備えており、この外板の室外側にモルタルが塗られて前記外壁が形成されていることが好ましい。
【００１５】
上記態様によれば、土壁からなる内壁と、羊毛からなる断熱層と、モルタルからなる外壁との組合せによって、天然の材料で形成された、自然環境にやさしく、調湿効果による温度調整効果の高い壁構造体を提供することができる。
【００１６】
本発明のもう一つは、上記の木造家屋の壁構造体と、屋根とを備えた木造家屋であって、前記屋根は、銅又は銅合金から形成されており、前記木造家屋における、木製の建造材は、すべてヒノキからなることを特徴とする。
【００１７】
上記発明によれば、上述した壁構造体による上記効果に加えて、銅又は銅合金から形成された屋根には、その表面に緑青からなる酸化被膜が形成されるが、この緑青は人体には無害であり、また、木造家屋における、木製の建造材は、すべてヒノキからなるので、上述したようなヒノキの効果、すなわち、ヒノキ油による森林浴をしているようなリラックス効果とリフレッシュ効果や、カビの発生の抑制を図ることができるため、木造家屋全体を、体によく人にやさしく、かつ、自然環境にも十分に配慮したものとすることができる。
【発明の効果】
【００１８】
本発明の木造家屋の壁構造体によれば、木造体の壁骨格を形成する、枠状体がヒノキからなり、枠状体の隙間に充填された、断熱層が羊毛からなり、枠状体に取付けられた下地板の室内側に塗られた、ワラ（特に、熟成させたワラ）を含有する土壁からなるので、高い蓄熱性及び保水力により調温・調湿性能が高いワラ（特に、熟成させたワラ）を混ぜた土壁と、湿気を吸収しやすく調湿性能が高い羊毛とによって、室内を適度な温度及び湿度に維持しつつ、ヒノキによる爽やかな香りによって、森林浴をしているようなリラックス効果とリフレッシュ効果を得ることができ、これらの相乗効果によって、体によく住み心地に優れた住環境を提供することができる。また、羊毛からなる断熱層と、ワラ（特に、熟成させたワラ）を含有する土壁とによって、室内の調湿効果を高めて、断熱効果を高めることができる。更に土壁はカビが発生しにくく、枠状体は防カビ性を有するヒノキからなり、羊毛による吸湿作用によってカビの発生を抑制するので、室内にカビが発生しにくく、体によい室内環境とすることができる。更にまた、土壁、枠状体、断熱層のいずれも自然界に存在する材料からなり、自然環境にやさしく、廃棄時にも悪影響を与えにくい。また、本発明の木造家屋によれば、銅又は銅合金からなる屋根の表面には、人体に無害な緑青が形成され、また、木造家屋における木製の建造材は、すべてヒノキからなるので、上述したリラックス効果とリフレッシュ効果や、カビの発生の抑制を図って、家屋全体を、体によく人にやさしく、かつ、自然環境にも十分に配慮したものとできる。
【図面の簡単な説明】
【００１９】
【図１】本発明に係る木造家屋の壁構造体の一実施形態を示しており、土壁を一部に塗布した状態の斜視図である。
【図２】本発明に係る木造家屋の一実施形態を示しており、その概略構成図である。
【図３】本発明に係る木造家屋の壁構造体の断面図であり、かつ、本発明に係る木造家屋の一実施形態を示す説明図である。
【図４】同壁構造体を、外壁に設置した状態の斜視図である。
【発明を実施するための形態】
【００２０】
以下、図面を参照して、本発明に係る木造家屋の壁構造体、及び、同壁構造体を用いた木造家屋の、一実施形態について説明する。
【００２１】
図３に示すように、この実施形態における木造家屋の壁構造体１０（以下、「壁構造体１０」ともいう）は、図２に示すような木造家屋７０に設けられた外壁１の内側に設置されるものである。図１に示すように、この壁構造体１０は、木造家屋の壁骨格を形成する、ヒノキからなる枠状体２０と、枠状体２０の間隙に充填された、羊毛からなる断熱層３０と、枠状体２０に端部を支持されて断熱層３０の室内５側に取付けられた下地板４０と、下地板４０の室内５側に塗られた、ワラ（特に、熟成させたワラ）を含有する土壁５０と、断熱層３０の外壁１側に配置され、下地板４０との間で断熱層３０を挟み込むように、枠状体２０に取付けられた外板６０とを備えている。
【００２２】
図１に示すように、この実施形態における前記枠状体２０は、水平方向に伸びる土台２１と、該土台２１の長手方向両端部から所定高さで垂設した一対の柱２２，２２と、前記土台２１に対して平行に伸び、前記一対の柱２２，２２の上端部どうしを連結する梁２４と、前記一対の柱２２，２２の間に垂設され、土台２１及び梁２４どうしを連結する間柱２５と、前記土台２１に対して平行に伸び、前記一対の柱２２，２２の長さ方向中央部どうしを連結する貫２６と、一方の柱２２の下端部及び他方の柱２２の上端部どうしを連結するように斜めに伸びる筋交い２７とから構成されている。その結果、枠状体２０には、土台２１と、柱２２と、間柱２５と、貫２６とで囲まれた空間と、梁２４と、柱２２と、間柱２５と、貫２６とで囲まれた空間とが画成されるようになっている。また、土台２１，一対の柱２２，２２、梁２４、間柱２５、貫２６は、ヒノキからなる角柱状をなしており、筋交い２７は、ヒノキからなる薄肉板状をなしている。
【００２３】
なお、本発明における「枠状体」としては、土台や、梁、柱、間柱等の骨格部材から、木造家屋の壁骨格を形成するように、枠状をなしてればよく、上記態様に限定されるものではない。例えば、間柱を複数本としたり、複数の筋交いを斜め十字状に交差して配置したりしてもよい。
【００２４】
前記下地板４０は、この実施形態の場合、ヒノキ以外の木材、例えば、スギ等からなり、枠状体２０を構成する土台２１や、柱２２、梁２４等よりも薄く、かつ、柱２２及び間柱２５の間隔に適合する長さで伸びる、薄肉の長板状をなしている。なお、下地板４０は、土壁５０に含まれる水分が乾燥しやすく、土壁５０を塗りやすく剥がれにくい、スギからなることが好ましい。
【００２５】
そして、図１に示すように、土台２１と、柱２２と、間柱２５と、貫２６とで囲まれた空間の内側、及び、梁２４と、柱２２と、間柱２５と、貫２６とで囲まれた空間の内側に、土台２１や梁２４等に対して平行となるように、複数の下地板４０が所定間隙をあけて配置されており、各下地板４０の長手方向両端部が柱２２及び間柱２５に支持されることで、枠状体２０に複数の下地板４０が取付けられるようになっている。これらの複数の下地板４０の室内５側に、土壁５０が塗られるようになっている。
【００２６】
また、図１や図３に示すように、各下地板４０は、枠状体２０の室内５側の面Ｆよりも、引き込んだ位置に配置されている。なお、この実施形態の下地板４０は、土台２１や梁２４等に対して平行に配置されているが、例えば、柱２２や間柱２５に対して平行に配置してもよい。
【００２７】
更に図３に示すように、枠状体２０には、薄肉の長板状をなした、複数の外板６０が、下地板４０に対して所定間隔をあけて平行となるように、外壁１側に取付けられている。
【００２８】
これについて詳述すると、各外板６０は、前記下地板４０と同様に、土台２１と、柱２２と、間柱２５と、貫２６とで囲まれた空間の内側、及び、梁２４と、柱２２と、間柱２５と、貫２６とで囲まれた空間の内側に、土台２１や梁２４等に対して平行に配置され、かつ、その長手方向両端部が柱２２及び間柱２５に支持されることで、枠状体２０に取付けられている。
【００２９】
また、図３に示すように、この実施形態における複数の外板６０は、複数の下地板４０に整合する位置となるように対向して配置されており、これらの複数の外板６０及び複数の下地板４０の間に、羊毛からなる断熱層３０が充填されるようになっている。なお、各外板６０の外壁１側の面は、枠状体２０の柱２２や梁２４等の、外壁１側の面に対して、段差のない面一となるように、枠状体２０に取付けられている。そして、これらの外板６０の外壁１側に、外壁１が形成されるようになっている。
【００３０】
また、前記断熱層３０は、羊毛を主体とし、好ましくは羊毛の割合が１００％の材料で形成されたものである。そして、この羊毛が、枠状体２０を構成する土台２１、一対の柱２２，２２、梁２４、間柱２５、貫２６、筋交い２７と、複数の下地板４０と、複数の外板６０との間隙に充填され、それによって、下地板４０と外板６０との間に、羊毛からなる断熱層３０が挟み込まれた状態で配置されるようになっている（図３参照）。
【００３１】
そして、上記下地板４０の室内５側に塗られた、ワラ（特に、熟成させたワラ）を含有する土壁５０は、図１及び図３に示すように、この実施形態の場合は、下地板４０に対して接着性を有し、同下地板４０の室内５側の面に塗布される下塗り層５１と、該下塗り層５１の表面に塗布される中塗り層５３と、該中塗り層５３よりも目が細かく、その表面に塗布される上塗り層５５とからなる多層構造となっている。
【００３２】
図３に示すように、この実施形態の中塗り層５３は、下塗り層５１の表面に塗布され、同下塗り層５１よりも目が細かい、中塗り下地層５３aと、該中塗り下地層５３aの表面に塗布されて、同中塗り下地層５３aよりも目が細かい、中塗り仕上げ層５３ｂとの、２層構造となっている。更に前記上塗り層５５は、中塗り仕上げ層５３ｂの表面に塗布され、同中塗り仕上げ層５３ｂよりも目が細かい、上塗り下地層５５ａと、該上塗り下地層５５ａの表面に塗布されて、同上塗り下地層５５ａよりも目が細かい、上塗り仕上げ層５５ｂとの、２層構造となっている（図３参照）。すなわち、この実施形態の土壁５０は、下塗り層５１、中塗り下地層５３ａ、中塗り仕上げ層５３ｂ、上塗り下地層５５ａ、上塗り仕上げ層５５ｂの、５層構造となっている。
【００３３】
また、この実施形態では、土壁５０は、枠状体２０の室内５側の面Ｆから、突出しないように塗布されている（図１及び図３参照）。すなわち、土壁５０のうち、最も室内５側に塗布された上塗り仕上げ層５５ｂの表面が、枠状体２０の室内５側の面Ｆから、突出しないように塗布されている。なお、上記の土壁の各層における「表面」とは、室内５側に向く面を意味する。また、土壁５０は、単層構造としたり、２層構造、３層構造、４層構造としたりしてもよく、更に６層以上の多層構造としてもよい。
【００３４】
一方、上記外板６０の、外壁１側の面には、外壁１が形成されている。図３に示すように、この実施形態の外壁１は、外板６０の外壁１側に配置された、金属メッシュからなる粗メッシュ層１ａと、該粗メッシュ層１ａの表面側に配置され、粗メッシュ層１ａよりも細かいメッシュからなる細メッシュ層１ｂと、該細メッシュ層１ｂの表面側に配置され、砂（細骨材）や、セメント、水等を練り混ぜて形成されたモルタルからなる下地層１ｃと、該下地層１ｃよりも目が細かくなるモルタルからなり、同下地層１ｃの表面に塗布される仕上げ層１ｄとからなる多層構造（ここでは４層構造）となっている。なお、上記各層における「表面」とは、家屋の室外側に向く面を意味する。
【００３５】
なお、上記構造をなした壁構造体１０においては、更に外板６０と外壁１との間に、透湿性、防水性、防風性を有する、透湿防水防風シートを配置してもよい。
【００３６】
また、図２には、本発明に係る木造家屋が示されている。本発明における木造家屋は、少なくとも上記構造をなした壁構造体１０と、その上方に設置される屋根８０とを備えた構造となっている。
【００３７】
具体的には、この実施形態における木造家屋７０は、基礎７１の上に設置され、水平方向に伸びた土台７２と、該土台７２から垂設した複数の柱７３と、前記土台７２に対して平行に配置され、複数の柱７３の上端部どうしを互いに連結する桁７４と、土台７２及び柱７３及び桁７４の間に斜めに設置された筋交い７５と、前記桁７４に対して直角に交差して支持された複数の梁７６と、各梁７６から垂設した、長さが異なる複数の束７７と、前記梁７６と同様に、前記桁７４に対して直角に交差して、前記束７７に支持された複数の母屋７８と、これらの母屋７８に支持されて、斜めに交差するように配置され、前記屋根８０を受け止める複数の垂木７９とから、主として構成されている。なお、この木造家屋は一例であって、どのような形状であってもよい。また、図２に示すように、木造家屋７０の、土台７２や、複数の柱７３、桁７４等で囲まれた部分には、本発明に係る壁構造体１０が設置されるようになっており、桁７４や、垂木７９、束７７等で囲まれた部分にも、本発明に係る壁構造体１０が設置されるようになっている。
【００３８】
そして、前記屋根８０は、銅又は銅合金から形成されており、また、この木造家屋７０における、木製の建造材は、すべてヒノキから形成されている。この実施形態では、上記の、土台７２、柱７３、桁７４、筋交い７５、梁７６、束７７、母屋７８、垂木７９の、木製の建造材が、すべてヒノキから形成されている。なお、これら以外に木製の建造材が存在する場合も、それらはすべてヒノキで形成されるようになっており、すなわち、壁構造体１０を構成する枠状体２０も含めて、木造家屋７０の木製の建造材は、すべてヒノキから形成されている（総ヒノキ作り、オールヒノキ作り等とも言える）。
【００３９】
次に、上記構成からなる壁構造体１０及び木造家屋７０の作用効果について説明する。
【００４０】
すなわち、上述したように、枠状体２０を構成する土台２１と、一対の柱２２，２２と、梁２４と、間柱２５と、貫２６と、筋交い２７と、複数の下地板４０と、複数の外板６０との間隙に羊毛を充填して、下地板４０と外板６０との間で、羊毛からなる断熱層３０を挟み込むと共に、下地板４０の室内５側に、下塗り層５１、中塗り下地層５３ａ、中塗り仕上げ層５３ｂ、上塗り下地層５５ａ、上塗り仕上げ層５５ｂを、順次重ねて塗ることで、多層構造の土壁５０が構成され、それによって図４に示すような壁構造体１０が形成される。そして、この壁構造体１０の外板６０の外壁１側に、粗メッシュ層１ａ、細メッシュ層１ｂを順次配置し、細メッシュ層１ｂの表面に、モルタルからなる下地層１ｃ及び仕上げ層１ｄを順次重ねて塗ることで、多層構造の外壁１を設置することができる。
【００４１】
そして、この壁構造体１０によれば、木造家屋７０壁骨格を形成する、枠状体２０がヒノキからなり、枠状体２０の隙間に充填された、断熱層３０が羊毛からなり、枠状体２０に取付けられた下地板４０の室内側に塗られた、ワラ（特に、熟成させたワラ）を含有する土壁５０からなるので、高い蓄熱性及び保水力により調温・調湿性能が高いワラ（特に、熟成させたワラ）を混ぜた土壁５０と、湿気を吸収しやすく調湿性能が高い羊毛からなる断熱層３０とによって、室内を適度な温度及び湿度に維持しつつ、枠状体２０を形成するヒノキから抽出される油によって、爽やかな木の香りが付与されて、まるで森林浴をしているようなリラックス効果とリフレッシュ効果を得ることができ、これらの相乗効果によって、体によく住み心地に優れた住環境を提供することができる。
【００４２】
すなわち、ヒノキからは油が抽出されるのであるが（ヒノキ精油という）は、このヒノキ精油の成分であるα−ピネンに起因する香りによって、森林浴をしているようなリラックス効果と、リフレッシュ効果とが得られるものと考えられる。なお、α−ピネンは、その他にも、空気清浄や、抗菌、防ダニ、消臭、鎮静効果等が得られ、また、ヒノキ精油の他の成分である、酢酸ボルニルによって、鎮静、鎮痛、抗炎症効果等が得られ、α−カジノールによって、防ダニ、虫歯菌の繁殖を抑える等の効果が得られ、ボルネオールによって、疲労回復、ストレス症状軽減、血行促進、免疫強化等の効果が得られる、等といった知見がある。
【００４３】
ところで、土壁５０にはワラ（特に、熟成させたワラ）が含有されており、枯草菌（バチルス菌）に起因して納豆のような匂いがすることがあるが、この匂いは時間経過と共に消え去る。また、バチルス菌は、高濃度有機排水や窒素、リン等を効率よく除去し、悪臭分解機能を有することが知られており、室内の脱臭や消臭に寄与する。なお、ヒノキの香りによっても、脱臭や消臭の効果を得ることができる。その結果、室内を、脱臭や消臭しつつ、主として、ヒノキによる爽やかな木の香りで満たすことができ、上述したようなリラックス効果とリフレッシュ効果を効果的に付与することができる。
【００４４】
また、羊毛からなる断熱層３０と、ワラ（特に、熟成させたワラ）を含有する土壁５０とによって（土壁は、保水力が高く調湿効果が高い）、室内の調湿効果を高め、夏は水分を吸収して熱伝導性を高めて家を冷やしやすくすることができ、冬は乾燥して熱伝導性を下げて、断熱効果を高めることができる。特に、厳冬期における断熱に効果的であり、室内を温めて快適にすごすことができる。
【００４５】
更に、土壁５０は、ワラ（特に、熟成させたワラ）に起因する枯草菌によりカビが発生しにくく（枯草菌により、他のカビを寄せ付けにくい）、枠状体２０は、防カビ性を有するヒノキからなり、更に羊毛による吸湿作用によってカビの発生を抑制するので、室内にカビを発生しにくくすることができる。
【００４６】
更にまた、ワラ（特に、熟成させたワラ）を混ぜた土壁５０、ヒノキの枠状体２０、羊毛からなる断熱層３０のいずれも、自然界に存在する材料からなるので、自然環境にやさしく、また、廃棄する際にも自然環境に悪影響を与えにくい。
【００４７】
ところで、枠状体２０を形成するヒノキは、油が抽出されることで、水分をはじくため、土壁５０を塗ることが困難であり、また、塗ったとしても剥がれやすい、という不都合がある。これに対して、この実施形態においては、土壁５０で覆われてしまう下地板４０をヒノキ以外の木材で形成されているので、ヒノキの油によって、土壁５０が塗りにくいという不都合を回避して、下地板４０に土壁５０をしっかりと塗ることができ、また、塗った土壁５０が下地板４０から剥がれにくくすることができる。
【００４８】
更に、この実施形態においては、図２に示すように、下地板４０は、枠状体２０の室内５側の面Ｆよりも引き込んだ位置に配置されており、土壁５０は、枠状体２０の室内５側Ｆの面から突出しないように塗布されている。そのため、ヒノキからなる枠状体２０を、室内５側に露出しやすくすることができ、ヒノキの香りを放散されやすくして、リラックス効果及びリフレッシュ効果を高めることができる。
【００４９】
また、この実施形態においては、図１や図３に示すように、土壁５０は、少なくとも、下地板４０に対して接着性を有し、同下地板４０の室内５側の面に塗布される下塗り層５１と、該下塗り層５１の表面に塗布される中塗り層５３と、該中塗り層５３よりも目が細かく、その表面に塗布される上塗り層５５とからなる、多層構造となっている。そのため、下地板４０上に、下塗り層５１を介して、所定厚さの土壁５０を剥がれにくく、強固に塗布することができると共に、目の細かい上塗り層５５によって、土壁５０の表面をきれいに仕上げることができる。
【００５０】
更にこの実施形態においては、図３に示すように、断熱層３０の外壁１側に配置され、下地板４０との間で断熱層３０を挟み込むように、枠状体２０に取付けられた外板６０を、更に備えており、この外板６０の室外側にモルタルが塗られて外壁１が形成されている。そのため、土壁５０からなる内壁と、羊毛からなる断熱層３０と、モルタルからなる外壁１との組合せによって、天然の材料で形成された、自然環境にやさしく、調湿効果による温度調整効果の高い、壁構造体１０を提供することができる。
【００５１】
また、図２に示すように、本実施形態における木造家屋７０は、屋根８０が銅又は銅合金から形成されている。ここで、銅は、リサイクル性がよく、耐火・耐震性に優れ、薄くしても適度な強度を有し、軽量であり、また、表面に酸化被膜（人体には無害な緑青）が形成されると、耐食性が高まるため、自然環境にやさしい建材である。更にこの木造家屋７０における、木製の建造材は、すべてヒノキから形成されている（総ヒノキ作り、オールヒノキ作り）。したがって、この実施形態の木造家屋７０においては、上述した壁構造体１０による上記効果に加えて、銅又は銅合金から形成された屋根８０には、その表面に緑青からなる酸化被膜が形成されるが、この緑青は人体には無害であり、また、木造家屋における、木製の建造材は、すべてヒノキからなるので、上述したようなヒノキの効果、すなわち、ヒノキ油による森林浴をしているようなリラックス効果とリフレッシュ効果や、カビの発生の抑制を図ることができるため、木造家屋全体を、体によく人にやさしく、かつ、自然環境にも十分に配慮したものとすることができる。
【００５２】
なお、本発明は、上述した実施形態に限定されるものではなく、本発明の要旨の範囲内で、各種の変形実施形態が可能であり、そのような実施形態も本発明の範囲に含まれる。
【符号の説明】
【００５３】
１  外壁
１ａ  粗メッシュ層
１ｂ  細メッシュ層
１ｃ  下地層
１ｄ  仕上げ層
５  室内
１０  木造家屋の壁構造体（壁構造体）
２０  枠状体
２１  土台
２２，２２  柱
２４  梁
２５  間柱
２６  貫
２７  筋交い
３０  断熱層
４０  下地板
５０  土壁
５１  下塗り層
５３  中塗り層
５３a  中塗り下地層
５３ｂ  中塗り仕上げ層
５５  上塗り層
５５ａ  上塗り下地層
５５ｂ  上塗り仕上げ層
６０  外板
７０  木造家屋
７１  基礎
７２  土台
７３  柱
７４  桁
７５  筋交い
７６  梁
７７  束
７８  母屋
７９  垂木
８０  屋根
Ｆ  枠状体の室内側の面
【図１】
2019132063.tif 000003
【図２】
2019132063.tif 000004
【図３】
2019132063.tif 000005
【図４】
2019132063.tif 000006